(57)【要約】【課題】地震時のエネルギーでフレームが捩じられるのを抑制できる外壁パネルを提供する。【解決手段】この外壁パネル１は、横断面が略Ｔ字状となるように第１板部２１の略中央位置に第２板部２２を突き合わせた形状のＴ字縦フレーム２を、上記第２板部２２の先端側が互いに対向するように左右に配置してなり、上記の対向する第２板部２２に斜材３がクロス状に架け渡される。上記斜材３は、上記第２板部２２の屋内側の面にボルト３ａとナット３ｂによって固定される。上記第２板部２２の屋外側の面に縦フレーム４１が取り付けられており、この縦フレーム４１に外壁面材１１が留め部材１２によって固定される。【選択図】図１
2019007247.tif 000002
【特許請求の範囲】
【請求項１】
横断面が略Ｔ字状となるように第１板部の略中央位置に第２板部を突き合わせた形状のＴ字縦フレームを、上記第２板部の先端側が互いに対向するように左右に配置してなり、上記の対向する第２板部間に耐力要素が設けられることを特徴とする壁パネル。
【請求項２】
請求項１に記載の壁パネルにおいて、上記耐力要素が上記第２板部に締結部材によって固定されることを特徴とする壁パネル。
【請求項３】
請求項１に記載の壁パネルにおいて、外壁パネルとして構成され、上記耐力要素が上記第２板部の屋内側となる面に締結部材によって固定されることを特徴とする壁パネル。
【請求項４】
請求項３に記載の壁パネルにおいて、上記第２板部の屋外側の面に下地材が取り付けられており、この下地材に外壁面材が固定されることを特徴とする壁パネル。
【請求項５】
請求項３または請求項４に記載の壁パネルにおいて、上記耐力要素よりも屋外側となる領域に断熱材が設けられることを特徴とする壁パネル。
【請求項６】
請求項３〜請求項５のいずれか１項に記載の壁パネルを備える建物における耐力要素の交換方法であって、上記壁パネルの屋内側の内壁板を取り外し、屋内側から上記耐力要素を交換することを特徴とする耐力要素の交換方法。
【請求項７】
請求項１〜請求項５に記載の壁パネルを備える建物であって、上記壁パネルの第１板部が、Ｈ形鋼からなる柱のフランジ部に背向配置で締結部材により固定されることを特徴とする建物。
【発明の詳細な説明】
【技術分野】
【０００１】
この発明は、耐力要素を備える壁パネル、耐力要素の交換方法および建物に関する。
【背景技術】
【０００２】
特許文献１には、溝形鋼を、その開口側が互いに向き合うように配置し固定したパネルフレームを備える外壁パネルが開示されている。そして、上記外壁パネルを耐力パネルとするために、上記溝形鋼における互いに対向する面部のうちの一方の面部の内側に、斜材をクロス状に設けることが開示されている。
【先行技術文献】
【特許文献】
【０００３】
【特許文献１】特開２０１６−１６９５４１号
【発明の概要】
【発明が解決しようとする課題】
【０００４】
しかしながら、上記外壁パネルでは、上記溝形鋼における互いに対向する面部のうちの一方の面部に斜材が取り付けられるため、地震時に上記斜材に引っ張られて上記溝形鋼が捩じられることになり、外壁面材に割れ等の悪影響が生じるおそれがある。
【０００５】
この発明は、上記の事情に鑑み、地震時のエネルギーでフレームが捩じられるのを抑制できる壁パネルを提供する。
【課題を解決するための手段】
【０００６】
この発明の壁パネルは、上記の課題を解決するために、横断面が略Ｔ字状となるように第１板部の略中央位置に第２板部を突き合わせた形状のＴ字縦フレームを、上記第２板部の先端側が互いに対向するように左右に配置してなり、上記の対向する第２板部間に耐力要素が設けられることを特徴とする。
【０００７】
上記の構成であれば、上記Ｔ字縦フレームの第２板部間において耐力要素が設けられる。上記第２板部は上記第１板部の略中央位置に存在しており、上記耐力要素の引っ張り力が上記第１板部の略中央側に加わるので、地震時のエネルギーで上記縦フレームが捩じられて面外変形するのを抑制することができる。
【０００８】
上記耐力要素が上記第２板部に締結部材によって固定されていてもよい。これによれば、上記締結部材を取り外すことで、地震で損傷した耐力要素を、新たな耐力要素と簡単に交換することができる。
【０００９】
壁パネルは、外壁パネルとして構成され、上記耐力要素が上記第２板部の屋内側となる面に締結部材によって固定されていてもよい。これによれば、屋内側から上記締結部材を取り外すことができ、地震で損傷した耐力要素を、屋内側の作業で損傷した耐力要素を新たな耐力要素に交換することができる。
【００１０】
上記第２板部の屋外側の面に下地材が取り付けられており、この下地材に外壁面材が固定されていてもよい。これによれば、外壁面材を、上記下地材を介して上記Ｔ字縦フレームに固定することができる。
【００１１】
上記耐力要素よりも屋外側となる領域に断熱材が設けられていてもよい。これによれば、上記断熱材に邪魔されることなく、屋内側から上記耐力要素の取り外しが行えることになる。
【００１２】
また、この発明の耐力要素の交換方法は、外壁パネルとして上記の壁パネルを備える建物における耐力要素の交換方法であって、上記壁パネルの屋内側の内壁板を取り外し、屋内側から上記耐力要素を交換することを特徴とする。かかる方法であれば、耐力要素の交換が屋内側からの作業で行えるので、天候等に左右されず、交換コストの低減を図ることができる。
【００１３】
また、この発明の建物は、上記の壁パネルを備える建物であって、上記壁パネルの第１板部が、Ｈ形鋼からなる柱のフランジ部に背向配置で締結部材により固定されることを特徴とする。
【発明の効果】
【００１４】
本発明であれば、地震時のエネルギーでフレームが捩じられるのを抑制することができる。また、耐力要素の交換が締結部材の取り外しで簡単に行えるという効果も奏する。
【図面の簡単な説明】
【００１５】
【図１】本発明の実施形態に係る外壁パネルの横断面の概略を示した説明図である。
【図２】図１の外壁パネルの部分拡大図である。
【図３】同図（Ａ）および同図（Ｂ）は、それぞれ、図１の外壁パネルの概略の斜視図である。
【図４】図１の外壁パネルの斜材接続箇所の正面視の部分拡大図である。
【発明を実施するための形態】
【００１６】
以下、この発明の実施の形態を添付図面に基づいて説明する。
図１および図２に示すように、この実施形態にかかる外壁パネル１においては、横断面が略Ｔ字状となるように第１板部２１の略中央位置(中央を含む)に第２板部２２を突き合わせた形状の２本のＴ字縦フレーム２を備えており、これら、２本のＴ字縦フレーム２は、上記第２板部２２の先端側が互いに対向するように左右に配置されている。上記Ｔ字縦フレーム２としては、例えば、Ｈ形鋼を半分にカットしたいわゆるＣＴ鋼を用いることができる。
【００１７】
また、図３（Ａ）、図３（Ｂ）および図４にも示すように、上記の対向する第２板部２２には、耐力要素である斜材３がクロス状に架け渡される。各斜材３は、上記第２板部２２と平行に配置される接合板３１と、両端の２個の接合板３１間に設けられた斜材本体部３２とからなる。上記接合板３１および上記第２板部２２には、例えば、水平方向のボルト挿通孔が縦に２か所形成されており、上記ボルト挿通孔に通された締結部材であるボルト３ａとナット３ｂによって上記第２板部２２に上記斜材３が固定される。上記斜材本体部３２には、ターンバックル部３２ａが設けられており、斜材３の取り付け後のテンション調整が行えるようになっている。
【００１８】
上記斜材３は上記第２板部２２の屋内側面に取り付けられている。そして、上記第２板部２２の屋外側面には、下地フレーム（下地材）４が設けられている。この下地フレーム４は、左右２本の縦フレーム４１と上下２本の横フレーム４２とによる縦長の長方形状に形成されている。上記縦フレーム４１は、溝形鋼からなり、対向する板部のうちの屋内側の板部が上記のボルト３ａとナット３ｂや他の箇所のボルト・ナットによって上記第２板部２２に固定されている。また、上記横フレーム４２も溝形鋼からなり、上記縦フレーム４１の上下端に嵌合固定されている。そして、留め部材１２の螺子部が上記の対向する板部の屋外側の板部に螺合されており、上記留め部材１２の頭部側において上記外壁面材１１が引っ掛けられている。
【００１９】
また、上記斜材３の屋外側となる領域、すなわち、上記斜材３と上記外壁面材１１との間には、グラスウール等からなる断熱材１３が充填配置されている。そして、上記斜材３の屋内側には、スペーサーとなる桟木１４等が設けられており、この桟木１４等に屋内壁ボード（内面材）１５がビス等により固定される。
【００２０】
上記外壁パネル１のＴ字縦フレーム２における第１板部２１は、Ｈ形鋼からなる柱５のフランジ部に背向配置される。上記第１板部２１および上記柱５のフランジ部には水平方向にボルト挿通孔が形成されている。上記ボルト挿通孔に通されたボルト５ａにナット５ｂを螺合させて締め付けることにより、上記Ｔ字縦フレーム２を上記柱５に固定することができる。
【００２１】
上記の構成であれば、上記Ｔ字縦フレーム２の第２板部２２に斜材３が架け渡される。上記第２板部２２は上記第１板部２１の略中央位置に存在しており、上記斜材３の引っ張り力が上記第１板部２１の略中央側に加わるので、地震時のエネルギーで上記Ｔ字縦フレーム２が捩じられるのを抑制することができる。
【００２２】
上記斜材３が上記第２板部２２の屋内側の面に締結部材（ボルト３ａ、ナット３ｂ等）によって固定されていると、屋内側から上記締結部材を取り外すことができ、地震で損傷した斜材３を、屋内側の作業で新たな斜材３と簡単に交換することができる。
【００２３】
上記第２板部２２の屋外側の面に下地フレーム４が取り付けられており、この下地フレーム４に外壁面材１１が固定されると、上記外壁面材１１を、上記下地フレーム４を介して上記Ｔ字縦フレーム２に固定することができる。
【００２４】
上記斜材３よりも屋外側となる領域に断熱材１３が設けられると、上記断熱材１３に邪魔されることなく、屋内側から上記斜材３の取り外しが行えることになる。
【００２５】
また、この実施形態では、上記の外壁パネル１を備える建物における斜材３の交換方法も開示する。この交換方法では、例えば、上記外壁パネル１の屋内側の屋内壁ボード（内面材）１５を取り外し、屋内側から上記ボルト３ａとナット３ｂを操作して損傷した斜材３を外し、新たな斜材３を上記ボルト３ａとナット３ｂを操作して取り付ける。さらに、屋内壁ボード１５を取り付ける。かかる方法であれば、斜材３の交換が屋内側からの作業で行えるので、天候等に左右されず、交換コストの低減を図ることができる。
【００２６】
なお、上記の例では、外壁パネルとして構成された壁パネルを示したが、これに限らず、間仕切り耐力壁とすることができる。また、外壁パネル１は、例えば、上記Ｔ字縦フレーム２、上記斜材３、上記下地フレーム（下地材）４、および上記外壁面材１１が工場で組立てられて出荷される態様とすることができる。もちろん、これに限らず、現場で柱５に上記Ｔ字縦フレーム２を固定し、このＴ字縦フレーム２に斜材３や下地フレーム４を固定していくようにしてもよい。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２８】
１      ：外壁パネル
２      ：Ｔ字縦フレーム
３      ：斜材（耐力要素）
３ａ    ：ボルト（締結部材）
３ｂ    ：ナット
４      ：下地フレーム（下地材）
５      ：柱
５ａ    ：ボルト
５ｂ    ：ナット
１１    ：外壁面材
１２    ：留め部材
１３    ：断熱材
１４    ：桟木
１５    ：屋内壁ボード（内面材）
２１    ：第１板部
２２    ：第２板部
３１    ：接合板
３２    ：斜材本体部
３２ａ  ：ターンバックル部
４１    ：縦フレーム
４２    ：横フレーム
【図１】
2019007247.tif 000003
【図２】
2019007247.tif 000004
【図３】
2019007247.tif 000005
【図４】
2019007247.tif 000006